(57)【要約】【課題】簡易な構成で容易に排水口を洗浄することの可能な排水トラップを提供する【解決手段】排水トラップ本体１２の内部には、側面に沿った封水筒２２が形成されている。封水筒２２は、略円筒状とされ、上方からみて、排水口２０と対向する部分では、円形が切り欠かれた直線形状とされている。排水室２２Ｂの排水口２０と対向する部分には、他の部分よりも広い、挿入用空間２２Ｃが構成されている。挿入用空間２２Ｃでは、封水筒２２と排水トラップ本体１２の側面との距離が他の部分よりも離間されていることから、上方から洗浄用具を挿入しやすくなっている。【選択図】図１
2007177461.tif 000002
【特許請求の範囲】
【請求項１】
上面に開口、側面に排水口が形成された有底円筒状の排水トラップ本体と、
前記排水トラップ本体内に前記側面に沿って配置され、内側に貯水可能な貯水室を構成すると共に、前記側面との間に排水室を構成し、前記排水口と対向する部分に前記側面との間へ洗浄用具を挿入可能とする挿入用空間を構成する挿入用空間構成手段を有する封水筒と、
前記開口から前記貯水室に挿入され、前記排水トラップ本体の底面との間に排水用隙間を構成すると共に、上側外周部が前記排水トラップ本体の前記開口側に配置される筒状の内側筒と、
前記開口に配置される目皿と、
を備えた排水トラップ。
【請求項２】
前記挿入用空間構成手段は、前記排水口と対向する前記封水筒の壁部分を他の壁部分よりも前記側面と離間された配置とすること、を特徴とする請求項１に記載の排水トラップ。
【請求項３】
前記挿入用空間構成手段は、前記排水口と対向する前記封水筒の壁部分を取り外し可能な取外部材で構成すること、を特徴とする請求項１に記載の排水トラップ。
【発明の詳細な説明】
【技術分野】
【０００１】
本発明は、浴室の洗い場などに設けられる排水トラップに関する。
【背景技術】
【０００２】
従来から、浴室の洗い場などの排水部分には、排水配管２０との間に貯水して排水配管からの臭気などを遮断するための排水トラップが設けられている（特許文献１、２参照）この排水トラップＨは、通常、図６に示すように、内側に貯水するための筒状の壁Ｗを有しており、筒状の壁Ｗの内側に水が貯留される貯留室Ｒが構成されている。
【０００３】
ところで、排水配管２０内は、ゴミや異物を除去するために洗浄する必要があるが、排水口に対向する部分には前述の筒状の壁が配置されているため、洗浄用具を挿入しにくく、洗浄用具の大きさによっては、挿入できない場合もある。そのため、筒状の壁全体を取り外し可能な構造とすることも考えられるが、構成が複雑になってしまう。また、排水口の高さを高くして筒状の壁よりも上に配置することも考えられるが、排水トラップの高さが高くなってしまい、床全体をかさ上げする必要が生じてしまう。
【特許文献１】実開昭６３−１５６２６３号公報
【特許文献２】実開平６−２０５６８号公報
【発明の開示】
【発明が解決しようとする課題】
【０００４】
本発明は上記事実を考慮し、簡易な構成で容易に排水口を洗浄することの可能な排水トラップを提供することを課題とする。
【課題を解決するための手段】
【０００５】
上記課題を解決するために、請求項１に記載の排水トラップは、上面に開口、側面に排水口が形成された有底円筒状の排水トラップ本体と、前記排水トラップ本体内に前記側面に沿って配置され、内側に貯水可能な貯水室を構成すると共に、前記側面との間に排水室を構成し、前記排水口と対向する部分に前記側面との間へ洗浄用具を挿入可能とする挿入用空間を構成する挿入用空間構成手段を有する封水筒と、前記開口から前記貯水室に挿入され、前記排水トラップ本体の底面との間に排水用隙間を構成すると共に、上側外周部が前記排水トラップ本体の前記開口側に配置される筒状の内側筒と、前記開口に配置される目皿と、を備えている。
【０００６】
上記構成によれば、挿入用空間構成手段によって、排水トラップ本体の側面と封水筒との間に洗浄用具を挿入可能な挿入空間が構成されるので、容易に洗浄用具を排水口へ到達させて排水口から排水配管を洗浄することができる。
【０００７】
本発明の請求項２に記載の排水トラップは、前記挿入用空間構成手段が、前記排水口と対向する前記封水筒の壁部分を他の壁部分よりも前記側面と離間された配置とすること、を特徴としている。
【０００８】
このように、封水筒を排水トラップ本体の側面から離間させることにより、挿入用空間構成手段を簡易な構成とすることができる。
【０００９】
本発明の請求項３に記載の排水トラップは、前記挿入用空間構成手段が、前記排水口と対向する前記封水筒の壁部分を取り外し可能な取外部で構成すること、を特徴としている。
【００１０】
このように、封水筒の排水口と対向する部分を取り外し可能とすることにより、この部分を取り外して容易に洗浄用具で排水口から排水配管を洗浄することができる。
【発明の効果】
【００１１】
本発明は、上記構成としたので、簡易な構成で洗浄用具で容易排水口から洗浄することができる。
【発明を実施するための最良の形態】
【００１２】
本実施形態の排水トラップ１０は、図１に示されるように、排水トラップ本体１２、内側筒１４、取付フランジ１６、及び、目皿１８を備えている。
【００１３】
排水トラップ本体１２は、有底円筒状とされ、側面に排水口２０が形成されている。排水口２０は、排水配管Ｐ（図３参照）と接続される。排水トラップ本体１２は、下側に底部１２Ｂを有し、上側は開放されており開口１２Ａが構成されている。開口１２Ａを構成する部分には、後述する取付フランジ１６を螺合可能な雌ねじ１２Ｎが形成されている。開口１２Ａは、浴室の洗い場に向かって開口され、開口１２Ａから排水が流入する。
【００１４】
排水トラップ本体１２の内部には、側面に沿った封水筒２２が形成されている。封水筒２２は、略円筒状とされ、図４にも示すように、上方からみて、排水口２０と対向する部分では、円形が切り欠かれた直線形状とされている。封水筒２２は、排水トラップ本体１２の内部を、封水筒２２の内側の貯水室２２Ａと、封水筒２２の外側の排水室２２Ｂとに仕切っている。排水室２２Ｂの排水口２０と対向する部分には、他の部分よりも広い、挿入用空間２２Ｃが構成されている。挿入用空間２２Ｃでは、封水筒２２と排水トラップ本体１２の側面との距離が他の部分よりも離間されていることから、上方から洗浄用具を挿入しやすくなっている。封水筒２２の排水口２０と逆側には、集水口２１が構成されている。集水口２１は、浴槽等の配水管と接続され、浴槽等からの排水が集水口２１から貯水室２２Ａへ流入する。なお、集水口２１は、２個以上形成されていてもよく、また、排水トラップの用途によっては、集水口は必ずしも形成されている必要はない。
【００１５】
内側筒１４は、図１に示すように、円筒状の側壁１４Ａと、鍔部１４Ｂとを備えている。側壁１４Ａの外径は、封水筒２２の内側に挿入可能な径とされ、貯水室２２Ａへ挿入される。図３に示すように、挿入された内側筒１４の先端部と排水トラップ本体１２の底部１２Ｂとの間は離間されており、排水用隙間Ｓが構成されている。鍔部１４Ｂは、開口１２Ａ部分に配置され、後述する取付フランジ１６に取り付けられる。鍔部１４Ｂと取付フランジ１６との間にはパッキン１６Ｐが配置されている。内側筒１４により、排水室２２Ｂは開口１２Ａとの間を仕切られ、排水用隙間Ｓのみで開口１２Ａと連通されている。
【００１６】
取付フランジ１６は、環状とされ、取付部１６Ａを備えている。取付部１６Ａの下部には、雌ねじ１２Ｎと螺合される取付部１６Ａよりも小径の雄ねじ１６Ｎが形成されている。雄ねじ１６Ｎは、雌ねじ１２Ｎと螺合されることにより排水トラップ本体１２に取り付けられ、取付部１６Ａは排水トラップ本体１２の開口１２Ａの上部に配置される。取付部１６Ａの内壁には、内側筒１４の鍔部１４Ｂと係合される係合部１６Ｂが形成されている。係合部１６Ｂと鍔部１４Ｂとが係合されて、内側筒１４が排水トラップ本体１２に取り付けられる。取付部１６Ａの内壁の係合部１６Ｂよりも上方には、上下一対のリブ１６Ｃが４カ所に構成されている。リブ１６Ｃの間に円盤状の目皿１８が係合され、目皿１８により開口１２Ａが覆われる。目皿１８には、排水用の孔が複数構成されている。
【００１７】
上記構成の排水トラップ１０では、図２、図３に示すように、開口１２Ａからは洗い場からの排水が、集水口２１からは浴槽内からの排水が流入し、封水筒２２の内部の貯水室２２Ａに貯留される。貯水室２２Ａには、封水筒２２上端部まで水が貯留され、貯水室２２から溢れた水は、排水室２２Ｂへ流入し、排水口２０から排出される。貯水室２２に貯留された水により、排水用隙間Ｓは閉鎖されるので、排水口２０側からの臭気などが浴室内へ排出されることが防止される。
【００１８】
排水口２０から排水配管Ｐ内を洗浄する場合には、目皿１８、及び、内側筒１４を取り外す。そして、洗浄用具、例えば高圧洗浄管を挿入用空間２２Ｃから進入させて、排水口２０へ向けて高圧の洗浄水を発射して排水配管Ｐ内を洗浄する。
【００１９】
本実施形態によれば、封水筒２２の排水口２０と対向する部分が、上方から見て直線状とされて挿入用空間２２Ｃが構成されているので（図４参照）、高圧洗浄管などの洗浄用具を容易に排水口へ到達させることができ、排水配管Ｐを容易に洗浄することができる。
【００２０】
なお、本実施形態では、封水筒２２の排水口２０と対向する部分の形状を直線状とすることにより、排水口２０と封水筒２２との間に挿入用空間２２Ｃを構成し、挿入用空間２２Ｃから洗浄用具を挿入可能としたが、洗浄用具を容易に排水口２０へ到達させるために封水筒２２を他の構成とすることもできる。例えば、図５に示すように、排水口２０と対向する部分の封水筒２２を取り外し可能な取外部２２Ｄで構成し、洗浄時には取外部２２Ｄを取り外して、洗浄用具を排水口２０へ到達させてもよい。なお、取外部２２Ｄと封水筒２２の切欠き部にはガイド溝２２Ｆを構成し、ガイド溝２２Ｆにはシーリング用のパッキン２２Ｅを配置しておくことが好ましい。
【００２１】
また、取外部２２Ｄの形状は必ずしも平板状でなくてもよく、封水筒２２を上面からみて円形とし、円形の一部を取り外し可能としてもよい。
【００２２】
また、本実施形態では、浴室の排水用に用いる排水トラップについて説明したが、本発明の排水トラップは、浴室用に限定されるものではなく、その他の排水機構にも適用することができる。
【図面の簡単な説明】
【００２３】
【図１】本実施形態の排水トラップの分解斜視図である。
【図２】本実施形態の排水トラップの組み立て後の斜視図である。
【図３】本実施形態の排水トラップの断面図である。
【図４】本実施形態の排水トラップの目皿、内側筒を取り外した状態の内部の上面図である。
【図５】本実施形態の排水トラップの変形例の斜視図である。
【図６】従来例の排水トラップの上面図である。
【符号の説明】
【００２４】
１０   排水トラップ
１２Ａ 開口
１２   排水トラップ本体
１４Ａ 側壁
１４Ｂ 鍔部
１４   内側筒
１６   取付フランジ
１８   目皿
２０   排水口
２２   封水筒
２２Ａ 貯水室
２２Ｂ 排水室
Ｓ     排水用隙間
【図１】
2007177461.tif 000003
【図２】
2007177461.tif 000004
【図３】
2007177461.tif 000005
【図４】
2007177461.tif 000006
【図５】
2007177461.tif 000007
【図６】
2007177461.tif 000008